(57)【要約】【課題】製造が容易で安価な可動式フェイスシールド及びそれに使用するシールドを提供する。【解決手段】本考案に係る可動式フェイスシールド１は、左右のツル５５に設けられた、シールド１０が係止する左右一対の突起と左右一対の係止片とを有するシールド取付手段６０を備える眼鏡タイプの装着具５０と、前記突起に嵌り込む左右一対の係止孔と、前記係止片に係止する左右一対の係止部とを有する、着用者１００の顔１１０の前面１１２を覆うシート状のシールド１０と、を備え、前記係止孔が前記突起に嵌め込まれ、前記シールド１０が前記突起を起点に回動可能に構成され、前記係止部を前記係止片に係止させ前記装着具５０に対し前記シールド１０を任意の位置に保持可能に構成されてなる。【選択図】図１
0003231603.tif 000002
【実用新案登録請求の範囲】
【請求項１】
左右のツルに設けられた、シールドが係止する左右一対の突起と左右一対の係止片とを有するシールド取付手段を備える眼鏡タイプの装着具と、
前記突起に嵌り込む左右一対の係止孔と、前記係止片に係止する左右一対の係止部とを有する、着用者の顔の前面を覆うシート状のシールドと、
を備え、
前記係止孔が前記突起に嵌め込まれ、前記シールドが前記突起を起点に回動可能に構成され、前記係止部を前記係止片に係止させ前記装着具に対し前記シールドを任意の位置に保持可能に構成されてなることを特徴とする可動式フェイスシールド。
【請求項２】
前記シールドは、前記装着具に対して着脱自在なことを特徴とする請求項１に記載の可動式フェイスシールド。
【請求項３】
請求項１又は請求項２に記載の可動式フェイスシールドで使用するシールドであって、
左右のツルに設けられた左右一対の突起と左右一対の係止片とを有するシールド取付手段を備える眼鏡タイプの装着具に取付け使用される、着用者の顔の前面を覆うシート状のシールドであり、
前記突起に嵌り込む左右一対の係止孔と、前記係止片に係止する左右一対の係止部とを有することを特徴とするシールド。
【考案の詳細な説明】
【技術分野】
【０００１】
本考案は、眼鏡タイプの装着具を備えシールドが回動可能な可動式フェイスシールドに関する。
【背景技術】
【０００２】
フェイスシールドは、飛散物等が目に入りあるいは顔に付着することを防止するためのものであり、血液等の飛散などに対処するため医療現場で多く使用されている。このほか、危険な薬品、試料などを取扱う化学会社、研究所、試験場、高温の液体、溶融物を取り扱う工場、作業場などでも目、顔の保護等を目的として使用されている（例えば特許文献１参照）。フェイスシールドは、フェイスガード、保護面、防護面とも呼ばれる。
【０００３】
今日、新型コロナウイルスの感染が世界的に問題となっており、新型コロナウイルスの対策として、フェイスシールドの着用、またマスクとフェイスシールドとの併用が多く見られる。フェイスシールドの頭部への装着方法としては、バンド・ベルトタイプの装着具、眼鏡タイプの装着具を用いる方法が多い。
【０００４】
眼鏡タイプの装着具にシールドが取付けられたフェイスシールドは、装着具に対してシールドを可動させることができない固定式のフェイスシールドと、装着具に対してシールドを一定の範囲で可動させることができる可動式フェイスシールドがある（例えば特許文献１参照）。
【先行技術文献】
【特許文献】
【０００５】
【特許文献１】実用新案登録第３２２７８４４号公報
【考案の概要】
【考案が解決しようとする課題】
【０００６】
眼鏡タイプの装着具にシールドが取付けられた可動式フェイスシールドは、特許文献１以外の形態のものも開発されており、一部のものは商品化されているが、製造が容易で安価な可動式フェイスシールドとするには改善の余地がある。
【０００７】
本考案は、製造が容易で安価な可動式フェイスシールド及びそれに使用するシールドを提供することである。
【課題を解決するための手段】
【０００８】
本考案は、左右のツルに設けられた、シールドが係止する左右一対の突起と左右一対の係止片とを有するシールド取付手段を備える眼鏡タイプの装着具と、前記突起に嵌り込む左右一対の係止孔と、前記係止片に係止する左右一対の係止部とを有する、着用者の顔の前面を覆うシート状のシールドと、を備え、前記係止孔が前記突起に嵌め込まれ、前記シールドが前記突起を起点に回動可能に構成され、前記係止部を前記係止片に係止させ前記装着具に対し前記シールドを任意の位置に保持可能に構成されてなることを特徴とする可動式フェイスシールドである。
【０００９】
本考案に係る可動式フェイスシールドにおいて、前記シールドは、前記装着具に対して着脱自在なことを特徴とする。
【００１０】
本考案は、前記可動式フェイスシールドで使用するシールドであって、左右のツルに設けられた左右一対の突起と左右一対の係止片とを有するシールド取付手段を備える眼鏡タイプの装着具に取付け使用される、着用者の顔の前面を覆うシート状のシールドであり、前記突起に嵌り込む左右一対の係止孔と、前記係止片に係止する左右一対の係止部とを有することを特徴とするシールドである。
【考案の効果】
【００１１】
本考案によれば、製造が容易で安価な可動式フェイスシールド及びそれに使用するシールドを提供することができる。
【図面の簡単な説明】
【００１２】
【図１】本考案の実施の一形態としての可動式フェイスシールド１のシールド１０を下げた状態の斜視図である。
【図２】本考案の実施の一形態としての可動式フェイスシールド１のシールド１０を下げた状態の側面図である。
【図３】本考案の実施の一形態としての可動式フェイスシールド１のシールド１０を上げた状態の側面図である。
【図４】本考案の実施の一形態としての可動式フェイスシールド１の装着具５０の構成を説明するための図である。
【図５】本考案の実施の一形態としての可動式フェイスシールド１のシールド１０の構成を説明するための図である。
【考案を実施するための形態】
【００１３】
図１及び図２は、本考案の実施の一形態としての可動式フェイスシールド１のシールド１０を下げた状態の斜視図及び側面図である。図３は、本考案の実施の一形態としての可動式フェイスシールド１のシールド１０を上げた状態の側面図である。図４は、本考案の実施の一形態としての可動式フェイスシールド１の装着具５０の構成を説明するための図であり、（Ａ）は斜視図、（Ｂ）は取付手段６０廻りの平面図、（Ｃ）は取付手段６０廻りの側面図である。図５は、本考案の実施の一形態としての可動式フェイスシールド１のシールド１０の構成を説明するための図である。
【００１４】
図面及び明細書中のＸ軸、Ｙ軸、Ｚ軸は、３次元直交座標のＸ軸、Ｙ軸、Ｚ軸と一致し、Ｘ（Ｘ軸）方向、Ｙ（軸）方向、Ｚ(軸)方向は、３次元直交座標のＸ軸方向、Ｙ軸方向、Ｚ軸方向と一致する。図１から図４において、フロントフレーム５１がＸ軸方向に平行であり、正面視は、ＸＹ面に平行な面をＺ方向に見た図である。
【００１５】
本考案の実施の一形態としての可動式フェイスシールド１は、着用者１００の顔１１０の前面１１２を覆うシート状のシールド１０と、シールド１０が取付けられる眼鏡タイプの装着具５０とで構成される。
【００１６】
まず装着具５０について説明する。装着具５０は、プラスチック製の眼鏡タイプの装着具であり、フロントフレーム５１、鼻当て５３、ツル５５で構成される（図４（Ａ）参照）。フロントフレーム５１は、平面視（−Ｙ方向）において全体が僅かに湾曲し、両端部５２は、ほぼ直角に湾曲している。両端部５２には、それぞれツル５５が回動自在に連結する。鼻当て５３は、フロントフレーム５１の中央部にフロントフレーム５１と一体的に設けられている。本装着具５０は、着用者１００が近視用のメガネをかけた状態でも着用できる。
【００１７】
ツル５５は、装着時に後部が着用者１００の耳１２６に載せられる部位であり、フロントフレーム５１と連結ピン（図示を省略）を介して回動自在に連結され、ツル５５は、内側に折り畳むことができる。ツル５５には、シールド１０を取付けるための取付手段６０が設けられている。
【００１８】
取付手段６０は、シールド１０に設けられた係止手段３１が係止する部分であり、ツル５５の先端部側に外側に突出するように設けられた突起６２と突起６２の横に外側に突出するように設けられた係止片６４とを備える。
【００１９】
突起６２は、円柱状であり、シールド１０に設けられた係止手段３１の係止孔３２が回動自在に嵌り込む。ツル５５の先端５６には、突起６２を囲むように外側に突出する凸部７５が設けられている。凸部７５は、平面視において、ツル５５の先端５６側の幅が最も広く、後端５７に向かって漸次幅が狭くなる略三角形であり（図４（Ｂ）参照）、正面視において、上辺が最も広く、下方に向かって漸次幅が狭くなる略三角形の形状を有する。
【００２０】
係止片６４は、Ｌ字形状を有し、ツル５５との間にシールド１０が嵌まり込むことができる隙間が形成されるように短片部６５の先端部がツル５５に連結している（図４（Ｂ）参照）。係止片６４の幅は、ツル５５の幅よりも狭く、ツル５５には側面視において長片部６６の下方に位置する部分に矩形の孔５９が設けられている（図４（Ｃ）参照）。長片部６６は、上面に比べて底面が短く、長片部６６の先端は傾斜面６７となっている。突起６２と長片部６６との間がシールド１０の係止部３７の挿入口７２となる。ツル５５と係止片６４との隙間にはシールド１０に設けられた係止手段３１の係止部３５が嵌り込む。
【００２１】
シールド１０は、正面視において上辺１１が波型を有し、側辺２１、２２から底辺２５が大きく湾曲した形状を有する透明なプラスチックシートからなる。シールド１０の大きさは、可動式フェイスシールド１を装着（着用）したときに着用者１００の顔１１０の前面１１２を覆うことができる大きさである。
【００２２】
シールド１０の上辺１１の波型は、中央部に底辺２５側（−Ｙ方向）に凹む凹部１２が設けられ、凹部１２の両側には＋Ｙ方向に突出する凸部１３が設けられ形成されている。上辺１１の中央部の凹部１２は、シールド１０を跳ね上げるとき、シールドの上辺１１が着用者１００の額１１４に接触し難くするためのものである。上辺１１の中央部に凹部１２を設けることでシールド１０を大きく跳ね上げることができる。
【００２３】
シールド１０の素材であるプラスチックシートは、視認性、視野を大きくする点において、無色で透明性に優れるものが好ましい。プラスチックシートの素材としては、ポリプロピレン（ＰＰ）、ポリエチレンテレフタレート（ＰＥＴ）、ポリカーボネート（ＰＣ）が挙げられるが、透明なプラスチックシートが成形できるものであればよく特に限定されるものではない。プラスチックシートの厚さは特に限定されるものではないが、可撓性、形状保持性等の点から厚さは０．２〜０．３ｍｍ程度のものが好ましい。
【００２４】
シールド１０は、両サイドの上部に装着具５０に取付けるための係止手段３１を有する。係止手段３１は装着具５０の固定手段６０に対応し、係止孔３２と係止部３５とを有し、装着具５０の取付手段６０に回動自在に取付けられる。
【００２５】
係止孔３２は、固定手段６０の突起６２にほぼ隙間なく嵌り込むことができる大きさの円孔であり、係止部３５の内側に設けられている。
【００２６】
係止部３５は、装着具５０のツル５５と係止片６４との隙間に嵌まり込む部分であり、円弧形状を有する。より詳細には係止部３５は、係止孔３２の中心点Ｃ２を起点とした半径Ｒの円弧であり、一方の端部３８は、係止孔３２の中心点Ｃ２よりも僅かに低い位置であり、他方の端部３９は上辺１１につながる。円弧の半径Ｒは、突起６２の中心点Ｃ１と係止片６４の短片部６５の内側との距離Ｌよりも僅かに短い（図４（Ｃ）参照）。係止部３５の端部３８は、側辺２１、２２の内側（＋Ｘ方向，−Ｘ方向）に位置し、係止部３５の端部３８と側辺２１、２２のとの間には段差部４０が形成されている。
【００２７】
係止部３５は、端部３８が係止孔３２の中心点Ｃ２を通る水平線Ｖに対して角度θ１≒−１０°、端部３９が水平線Ｖに対して角度θ２＝＋１２０°に位置し、係止部３７を形成する円弧の中心角θは約１３０°である。係止部３５の端部３８が、水平線Ｖよりも低い位置にあるのは、取付手段６０である突起６２に比較して係止片６４の長片部の底部６９が低い位置にあるためである。係止部３５の大きさである円弧の中心角θ（θ１＋θ２）は、１３０°に限定されるものではないが、この大きさを有する可動式フェイスシールド１は、シールド１０を広い範囲に可動させることができ使い勝手がよい。
【００２８】
シールド１０の装着具５０への取付け要領を説明する。シールド１０の一方の係止部３５を挿入口７２からツル５０と係止片６４の間の隙間に差込み、係止孔３２を突起６２に嵌め込む。同様に、シールド１０の他の係止部３５を挿入口７２からツル５０と係止片６４の間の隙間に差込み、係止孔３２を突起６２に嵌め込む。これでシールド１０の装着具５０への取付けは完了である。
【００２９】
シールド１０を装着具５０から取り外す際は、シールド１０の係止孔３２近傍を外側に持ち上げ、係止孔３２を突起６２から外し、シールド１０を係止片６４とは反対方向に引っ張る。
【００３０】
可動式フェイスシールド１の使用方法、及びシールド１０の動きを説明する。可動式フェイスシールド１は、通常の眼鏡を掛ける要領で装着（着用）する。可動式フェイスシールド１は、装着具５０に対し、突起６２を起点に所定の範囲内で回動させることができる。
【００３１】
シールド１０の可動範囲は、下げる方向に対してはシールド１０の段差部４０が係止片６４の底部６９に接する迄であり、シールド１０を目一杯下げると側面視においてツル５５とシールド１０とがほぼ直交する（図２参照）。この位置がシールド１０の可動範囲の下限値となる。
【００３２】
一方、上げる方向に対するシールド１０の可動範囲は、シールド１０の係止部３５の端部３９が係止片６４の短片部６５に接する迄であり、側面視においてシールド１０の先端部（底辺２５）は、ツル５５よりも高い位置となる。この位置がシールド１０の可動範囲の上限値となる。但し、可動式フェイスシールド１を装着した状態では、シールド１０の上辺１５が着用者１００の額１１４に接した時点が上限値となる。本実施形態の可動式フェイスシールド１の場合、着用した状態でシールド１０を目一杯持ち上げると、シールド１０の下端がほぼ水平となる（図３参照）。
【００３３】
可動式フェイスシールド１において、シールド１０は、装着具５０に取付けたとき係止孔３２が突起６２に嵌まり込み、係止部３５がツル５５と係止片６４との隙間に嵌まり込む。このときシールド１０の係止孔３２の傍の裏面１７は、ツル５５に設けられた凸部７５と接触する。またシールド１０の係止部３５の表面（おもて面）は、係止片６４の長片部６６の裏面に接し、またシールド１０の係止部３５の裏面１７は、ツル５５の表面（おもて面）５８に接する。
【００３４】
以上のように可動式フェイスシールド１において、シールド１０は、ツル５５及び係止片６４に対して３点で接触する。またシールド１０は、係止孔３２の近傍が凸部７５により外側に押し出されているため係止部３５は、ツル５５と係止片６４との隙間に対して斜めに入り込むこととなる（図４（Ｂ）参照）。これらによりシールド１０は、シールド１０に触れた程度では回転せず、回転させるにはある程度の力を加える必要がある。このためシールド１０は、装着具５０に対して回動範囲内の任意の位置を保持することができる。
【００３５】
以上、実施の一形態としての可動式フェイスシールド１を用いて説明したとおり、本考案に係る可動式フェイスシールドは、構成、構造が単純であり安価に製造することができる。本考案に係る可動式フェイスシールドは、シールドを広範囲に可動させることが可能である一方で、可動範囲内においてシールド１０を任意の位置（角度）に維持することができるので使い勝手がよい。また本考案に係る可動式フェイスシールドは、装着具５０に対しシールド１０を簡単にワンタッチで着脱できるため、シールド１０の交換も容易である。
【００３６】
以上、実施の一形態としての可動式フェイスシールド１により本考案に係るシールド及び可動式フェイスシールドを説明したが、本考案に係るシールド及びそれを備える可動式フェイスシールドは、上記実施形態に限定されるものではなく要旨を変更しない範囲で変更することができる。
【００３７】
上記実施形態では、全体が無色透明なシールド１０を示したが、シールド１０の形態、材質は、本実施形態に限定されることなく種々の形態、材質のものを使用することができる。本考案者が発明し特許出願中の中央部から上部にかけて可視部が、中央部から下部にかけて不可視部が設けられたシールド（特願２０２０−０９９８５２）、また本考案者が創作し登録出願中の目の位置にくる部分を中心とした一定の範囲が無色透明で、他の部分が着色されているシールド（意願２０２０−０１７４７８）であってもよい。
【００３８】
本考案に係るシールドにおいて、係止孔３２に対し外部から視認可能な色で縁取りを施してもよい。このようにすれば係止孔３２の位置が見つけ易くなる。また本考案に係るシールドにおいて、適宜、複数の微細な孔からなる通気孔を設けてもよい。
【００３９】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００４０】
１  フェイスシールド
１０  シールド
１１  上辺
１２  凹部
３１  係止手段
３２  係止孔
３５  係止部
５０  装着具
５５  ツル
６０  取付手段
６２  突起
６４  係止片
７５  凸部
１００  着用者
１１０  顔
１１２  顔の前面
１１４  額
【図１】
0003231603.tif 000003
【図２】
0003231603.tif 000004
【図３】
0003231603.tif 000005
【図４】
0003231603.tif 000006
【図５】
0003231603.tif 000007